(57)【要約】【課題】室内機本体に配管・配線類の取出し部を設けるにあたって、室内機本体の基本的な構成を変更することなく、強度的に充分な補強をなして変形を阻止する空気調和機の室内機を提供する。【解決手段】室内機本体２０として変形四角枠状の側板部２１ｃに天板部２１ｂを嵌め込んで一体化したハウジング２１と断熱材２２から構成して天井裏に取付け固定し、この室内機本体内にドレンパン２５上に載設される熱交換器２４と送風機２３を収容し、少なくとも熱交換器に接続される配管３９を外部に取出すためハウジングと断熱材の所定部位を端縁から欠落加工した取出し部３５を設け、この取出し部における断熱材に対してケーシングを密着固定し、ケーシングの変形を規制する補強固定金具４０を具備した。【選択図】　　図３
2004085000.tif 000002
【特許請求の範囲】
【請求項１】
金属板筐体およびこの内面に組み込まれる断熱材から構成され、被空調室の天井板開口部に嵌め込まれ天井裏に取付け固定される室内機本体と、
この室内機本体内に収容され、ドレンパン上に載設される熱交換器および、この熱交換器と対向して配置される送風機とを具備し、
上記室内機本体を構成する金属板筐体と断熱材の端縁一部に欠落加工され、少なくとも上記熱交換器に接続される配管を保持して外部に取出す取出し部と、
この取出し部に取付けられ、上記断熱材に対して上記金属板筐体を密着固定し、金属板筐体の部分変形を規制する補強固定具と
を具備したことを特徴とする空気調和機の室内機。
【請求項２】
上記補強固定具は、金属片を略コ字状に折曲加工してなる金具であり、一方の折曲片部は上記断熱材に設けられる掛合溝に挿入掛止され、他方の折曲片部は上記金属板筐体に取付け具を介して取付け固定されることを特徴とする請求項１記載の空気調和機の室内機。
【請求項３】
上記補強固定金具の両折曲片部相互間に形成される中間片部は、上記断熱材の端面に沿って位置し、かつ上記ドレンパンと断熱材との間に挟み込まれることを特徴とする請求項２記載の空気調和機の室内機。
【発明の詳細な説明】
【０００１】
【発明の属する技術分野】
本発明は、天井埋込み型の空気調和機の室内機に係り、少なくとも熱交換器に接続される配管を室内機本体から外部へ取出すために、室外機本体に設けられる取出し部構造に関する。
【０００２】
【従来の技術】
空気調和機の室内機として、店舗などの広い空間を空調する場合には、壁面に取付けられる、いわゆる壁掛け形ではなく、複数の方向に空調風を吹出すことができ、かつ居住者が受ける圧迫感の少ない天井埋込み型とした室内機が多用される傾向にある。
この種の室内機は、側板部に天板部を嵌め込んで一体化された金属板筐体と、この金属板筐体の内面に組み込まれる断熱材から室内機本体が構成され、被空調室の天井板開口部に嵌め込まれて天井裏に取付け固定される。
【０００３】
室内機本体の下面に、吹出口と吸込み口を備えた化粧パネルが取付けられ室内に露出している。室内機本体内には、熱交換器と送風機が収容されていて、これら熱交換器や送風機に接続される配管・配線類は室内機本体に設けられる取出し部を介して外部へ延出している。
図７（Ａ）に示すように、金属板筐体Ｓを構成する側板部Ｓａは、平面視で折曲加工された２枚の金属板体を組合せ、かつ互いの端部相互をねじ止めすることにより完成する。
【０００４】
図の横中心軸Ｍ−Ｍを境に上半分と下半分が対称をなしていないのは、配管・配線類の取出し部Ｚの有無による。すなわち、上半分の部分には取出し部が存在していないので、美観を優先して直角部を斜め４５°に折曲した折り曲げ形状をなしている。
下半分の特に右側部には、ドレンパンに集溜したドレン水を外部に排出するドレンポンプが配置され、このポンプに接続されるドレンホースを外部に取出すための取出し部Ｚが設けられる。
【０００５】
下半分の特に左側部には、熱交換器に接続される配管および送風機から電気部品箱を介して接続される配線類を取出す取出し部Ｚが設けられる。取出し部Ｚにおける作業が最適にできるように、下半分の両角部は垂直面と水平面に対して凹陥部となるよう折曲加工される。
なお取出し部Ｚを説明すれば、図７（Ｂ）に拡大して示すように、垂直面から直角よりもわずかに大きい角度θ１に折曲される折曲部Ｃから斜め水平に傾いた傾斜面部ｎが形成される。
【０００６】
上記傾斜面部ｎの端縁から１８０°よりも大なる角度θ２に折曲されていて、この折曲部Ａから斜め垂直の縦傾斜面部ｍが形成される。そして、縦傾斜面部ｍから直角よりもわずかに大きい角度θ３に折曲される折曲部Ｂがある。
折り方を基準にしてみると、折曲部Ｃは内面側に折曲される内折りであり、折曲部分が外側へ突出する山折りでもある。折曲部Ａでは逆に、外面側に折曲される外折りであり、折曲部分が内側へ突出する谷折りでもある。折曲部Ｂは内面側に折曲される内折りであり、折曲部分が外側へ突出する山折りでもある。
【０００７】
【発明が解決しようとする課題】
ところで、図の右側の取出し部Ｚには、ドレンホースを接続するドレンソケットｋが取付けられる。そのため、上記傾斜面部ｎに取付け用孔を設けるだけですみ、側板部Ｓａに対する強度的な影響はほとんどない。
これに対して、図の左側の取出し部Ｚは、熱交換器に配管ｐを接続し、電気部品箱に配線類ｑを接続した状態で室内機本体に組み込むため、傾斜面部ｎの端縁から中途部までを全面的に欠落加工し、さらにこの欠落片部の端縁に配管と配線を掛合保持する溝部を設けている。
【０００８】
したがって、この取出し部Ｚにおいては側板部Ｓａと断熱材が他の部分の略半分程度の幅しかなく、強度的に弱い構造となってしまう。さらにそのうえ、側板部Ｓａは薄い金属板を折曲加工しただけのものであるから、取出し部を設けるために欠落加工すると元の平板に戻ろうとする力が自然的に発生する。
折曲部ＣとＢが内折り（山折り）であり、これらの間の折曲部Ａは外折り（谷折り）であるところから、特に二点鎖線で示すように、Ａ部が外側に出てＡ’部となるよう変形し、これにともないＢ部も外側に出てＢ’部となるよう変形する傾向にある。
【０００９】
従来、この側板部Ｓａの変形を規制することは不可能であると考えられ、変形した側板部と断熱材との間に隙間が生じたままとしている。隙間の程度は一定ではなく、わずかの場合もあるが、商品価値が劣ることには変りがない。
本発明は上記事情に着目してなされたものであり、その目的とするところは、室内機本体に少なくとも配管の取出し部を設けるにあたって、室内機本体の基本的な構成を変更することなく、強度的に充分な補強をなして変形を阻止する空気調和機の室内機を提供しようとするものである。
【００１０】
【課題を解決するための手段】
上記課題を解決し目的を達成するために、本発明の空気調和機の室内機は、金属板筐体とこの内面に組み込まれる断熱材から構成される室内機本体を被空調室の天井板開口部に嵌め込んで天井裏に取付け固定し、この室内機本体内にドレンパン上に載設される熱交換器および送風機を収容し、室内機本体を構成する金属板筐体と断熱材の端縁一部を欠落加工して、少なくとも熱交換器に接続される配管を保持して外部に取出す取出し部を設け、この取出し部に補強固定具を取付け断熱材に対して金属板筐体を密着固定し金属板筐体の部分変形を規制する。
【００１１】
さらに、上記補強固定具は、金属片を略コ字状に折曲加工してなる金具であり、一方の折曲片部は断熱材に設けられる掛合溝に挿入掛止され、他方の折曲片部は金属板筐体に取付け具を介して取付け固定される。
さらに、上記補強固定金具の両折曲片部相互間に形成される中間片部は、断熱材の端面に沿って位置しドレンパンと断熱材との間に挟み込まれる。
このような課題を解決する手段を備えることにより、室内機本体に少なくとも配管の取出し部を設けるにあたって、室内機本体の基本的な構成を変更することなく、強度的に充分な補強をなして変形を阻止する。
【００１２】
【発明の実施の形態】
図１は本発明の一実施の形態に係る天井埋込型の空気調和機の室内機１０を下面側から示す斜視図、図２は室内機本体２０の分解斜視図、図３は室内機本体２０を上下逆にした状態で見た斜視図である。
空気調和機の室内機１０は、被空調室の天井板に設けられた取付け用開口部から室内側から挿入され吊りボルト等を介して、いわゆる天井裏に吊持固定される室内機本体２０と、この室内機本体２０の室内側に露出して取り付けられる化粧パネル１００とを備えている。
【００１３】
室内機本体２０は、下面開口部２１ａ全てが開口し、金属薄板を板金加工して天板部２１ｂと側板部２１ｃを組み合わせた金属板筐体（以下、ハウジングと呼ぶ）２１を備えている。
上記ハウジング２１の平面視は先に図７で示したものと全く同一であり、このハウジング２１の内面には、例えば発泡スチロール材からなる断熱材２２が組み込まれ、断熱構造をなしている。
【００１４】
ハウジング２１内部には、その中央部に送風機２３が配置され、この送風機を囲むようにして平面視でＬ字状に形成された一対の熱交換器部２４ａ，２４ｂからなる室内熱交換器２４が収容されている。なお、平面視で四角枠状に形成された室内熱交換器を用いる場合もある。
ハウジング２１の下面開口部２１ａは、化粧パネル１００によって閉成されている。この化粧パネル１００は室内に露出し、ハウジング２１周面と天井板に設けられる取付け用開口部との隙間を遮蔽する。
【００１５】
上記送風機２３は、ハウジング２１の上面部に適宜な手段で取付け固定されるファンモータ２３ａと、このファンモータの回転軸に取付けられるファン２３ｂとからなる。この送風機２３は、ファン２３ｂの回転に伴い回転軸方向から空気を吸込んで周方向に吹出す送風作用をなす。
室内熱交換器２４を構成する熱交換器部２４ａ，２４ｂは、送風機２３の吹出し方向に位置している。各熱交換器部２４ａ，２４ｂの下端部はハウジング２１下部に設けられる平面視で変形の四角枠状のドレンパン２５内に挿入され、各熱交換器部で生成されるドレン水を受けるようになっている。
【００１６】
化粧パネル１００の吸込み口１１０と送風機ファン２３ｂとの間には、ベルマウス２６が設けられ、その周囲はドレンパン２５に囲まれている。ベルマウス２６は、送風機ファン２３ｂ側が小径で、かつ、吸込み口１１０側が大径のテーパ状に形成されている。
さらに、ドレンパン２５の内側一部に電気部品箱２７が設けられている。この電気部品箱２７内には上記送風機２３等の電気部品を制御するための制御回路が収容されている。
【００１７】
化粧パネル１００は、その中央大部分の面積を占める矩形状の吸込み口１１０が開口されていて、この吸込み口１１０はドレンパン２５の内側面とほぼ対向して設けられる。
化粧パネル１００の吸込み口１１０には、吸込グリル１１１が着脱自在に取付けられている。この吸込グリル１１１は、吸込み口１１０における室内空気の流通を可能としながら、吸込み口からハウジング２１内部に対する遮蔽をなしている。
【００１８】
さらに、吸込み口１１０の各辺部に沿って吹出口１２０〜１２３が設けられている。これら吹出口１２０〜１２３は、幅方向に対して長手方向が極端に細長い矩形状をなし、４ヶ所設けられる。
各吹出口１２０〜１２３は、ドレンパン２５の外側面とハウジング２１の側面部に取付けられる断熱材２２との間の間隙に対向位置していて、それ自体が外方へ曲成される。
【００１９】
吹出口１２０〜１２３にはルーバー機構に連結されたルーバー１５０〜１５３がそれぞれ取付けられていて、化粧パネル１００周辺の広い範囲に吹出し案内するようになっている。
つぎに、上記室内機本体２０に設けられる取出し部３０，３５について説明する。
【００２０】
室内機本体２０の左右両側にそれぞれ凹陥部ａ，ｂが形成されている。図１に示す左側凹陥部ａと、図３に示す右側の凹陥部ａの正面部がドレンホースに対する取出し部３０である。
いずれの取出し部３０も、後述するように配管の接続作業を行う必要から凹陥部ａ，ｂに設けられ、したがって平面視形状は先に図７（Ａ）（Ｂ）で示した取出し部Ｚの平面視形状と同一である。
【００２１】
上記ハウジング２１を構成する側板部２１ｃと断熱材２２の内外面に亘って取付け用孔（図３のみ示す）３２が貫通して設けられ、この取付け用孔３２にドレンソケット３１が嵌合固定される。
上記ドレンソケット３１は、室内機本体２０の外面側に突出していて、屋外へ延出する図示しないドレンホースが接続される。ドレンソケット３１の室内機本体２０内側突出部と図示しないドレンポンプの吐出部とに亘ってドレンホースが接続される。
【００２２】
上記ドレンポンプは、上記ドレンパン２５に集溜されるドレン水に浸漬するよう配置されていて、ドレンパンの水位が所定量以上になるとドレンポンプが自動的に駆動され、ドレン水を排出するようになっている。
図１の右側凹陥部ｂの正面部に、配管・配線用の取出し部３５が設けられる。図２では、側板部２１ｃの略正面位置に取出し部３５を示している。図３では断熱材２２の左側凹陥部ｂに取出し部３５を示している。
【００２３】
この取出し部３５は、ハウジング２１の側板部２１ｃおよび断熱材２２の端縁から欠落加工された溝部３６と、この溝部に取付けられた合成樹脂材からなる押さえ板３７とからなる。
取出し部３５では、室内機本体２０内から電気部品箱２７に接続される配線類３８と熱交換器２４に接続される配管３９とが高さ位置を異ならせ、かつ互いに略並行して取出されている。そして、これら配管３９と配線類３８は、上記押さえ板３７によって保持固定されるようになっている。
【００２４】
さらに、上記取出し部３５を構成する溝部３６と、この取出し部に取付けられる補強固定金具（補強固定具）４０について詳述する。
図４は断熱材２２に設けられる溝部３６を示し、図５は取出し部３５の一部を断面にして示し、図６は取出し部３５を拡大して示していて、いずれも連結固定具４０が取付けられている。
【００２５】
上記溝部３６は、室内機本体２０の図の上端縁から略中間部まで垂直に切り込まれる第１の垂直辺部ｄと、この辺部の最下点から半円状に曲成される第１の曲成辺部ｅを備えている。
さらに、第１の曲成辺部ｅから斜め上方に傾斜する傾斜辺部ｆがあり、この最上点から半円状に曲成される第２の曲成辺部ｇがある。この第２の曲成辺部ｇから垂直に切り込まれる第２の垂直辺部ｈの組合せからなる。
【００２６】
第１の垂直辺部ｄは第２の垂直辺部ｈよりも長く形成され、したがって第１の曲成辺部ｅは第２の曲成辺部ｇよりも深い位置に設けられている。第１の曲成辺部ｅは第２の曲成辺部ｇの半径よりも大なる半径に形成されている。
第１の曲成辺部ｅには、先に図３で説明したように熱交換器２４に接続される配管３９が挿通して取出される。すなわち、室内機本体２０内に熱交換器２４を組み込んだ状態で、ここに接続される配管３９がそのまま嵌め込まれる位置に上記第１の曲成辺部ｅが設けられている。
【００２７】
第２の曲成辺部ｇには、電気部品箱２７から延出される配線類３８が挿通し取出される。配線類３８であるから柔軟であり、かつ熱交換器２４に接続される配管３９に露付きがあっても、露が付着しない程度の距離を存する位置に設けられている。
このような溝部３６を形成する断熱材２２において、第２の垂直辺部ｈとある程度の間隔を存した位置で、かつ略並行に、断熱材２２の上端面から所定深さまで掛合溝４１が設けられている。
【００２８】
上記補強固定金具４０は、ハウジング２１より厚肉の矩形状金属片を略コ字状に折曲加工してなり、両端の折曲片部４０ａ，４０ｂと、これら折曲片部相互間の中間片部４０ｃとからなる。
一方の折曲片部４０ａ先端は斜めに折曲され、他方の折曲片部４０ｂ中央にはねじ孔４２が設けられ、かつこの先端部は外方へ直角に折曲される爪部４３となっている。
【００２９】
補強固定金具４０は、一方の折曲片部４０ａが上記掛合溝４１に挿入され、かつこの先端折曲部が溝底部に食い込んで掛止固定状態にある。他方の折曲片部４０ｂは断熱材２２の第２の垂直辺部ｈとは直交する端面に沿って密着し、中間片部２０ｃは断熱材２２の端面上に露出する。
換言すれば、コ字状に折曲される上記補強固定金具４０は、室内機本体２０を構成するハウジング２１と断熱材２２との合わせ面と、掛合溝４１との間に差込まれる。
【００３０】
この状態で、補強固定金具４０の片部４０ｂに設けられるねじ孔４２は、ハウジング２１に設けられこのねじ孔４２の直径よりもわずかに大なる直径の孔部４５と連通する。そして、片部先端の爪部４３はハウジング２１に設けられる回り止め用孔４６に挿入掛止する。
実際には、ここでは図示しない取付けねじ（取付け具）を、上記孔部４５を介して補強固定金具４０のねじ孔４２に螺挿し、ハウジング２１と補強固定具４０とを互いに締結固定する。
【００３１】
補強固定金具４０の爪部４３が上記回り止め用孔４６に挿入掛止しているので、特に作業者が連結固定金具４０を指で固定しなくても、補強固定金具４０に対する回り止めをなす。
ハウジング２１と補強固定金具４０とを締結固定した状態で、連結固定金具４０は断熱材２２の掛合溝４１に掛止しているので、連結固定金具４０を介してハウジング２１と断熱材２２との連結固定がなされる。
【００３２】
上記補強固定金具４０の両折曲片部４０ａ，４０ｂ間に形成される中間片部４０ｃは、図の状態では断熱材２２の端面上に露出しているが、最終組立てで室内機本体２０にドレンパン２５を組み込むことにより、中間片部はドレンパンと断熱材との間に挟み込まれる。
このように構成された天井埋込み型の空気調和機の室内機１０において、送風機２３が駆動されることにより室内空気が吸込みグリル１１１と吸込み口１１０を介して室内機本体２０内に吸引され、熱交換器２４において熱交換がなされた後、吹出口１２０〜１２３から室内側に吹き出される。
【００３３】
ここでは、連結固定金具４０を用いてハウジング２１と断熱材２２とを連結固定し、ハウジングを補強している。したがって、配管・配線類の取出し部３５を設けるために、金属薄板からなるハウジング側板部２１ｃを大きく欠落加工しても、先に図７（Ｂ）で説明したような変形を確実に防止できる。
連結固定金具４０自体は、金属片を略コ字状に折曲加工した極く簡素な構成であり、部品費の増大は極力抑制される。連結固定金具４０の一方の折曲片部４０ａを断熱材２２に設けた掛合溝４１に挿入し、他方の折曲片部４０ｂをねじ止めするだけの簡単な作業ですむので、工数の増大を極力抑制できる。
【００３４】
また、補強固定金具４０の一方の折曲片部４０ａを掛合溝４１に挿入し、他方の折曲片部４０ｂをハウジング２１と断熱材２２との間に介在させたので、金属材から構成されるものでありながら、室内機本体２０を流通する熱交換空気（冷気）に接触する部分がなく、露付きの虞れがない。
補強固定金具４０の中間片部４０ｃは取付け状態では断熱材２２の端面上に露出するが、最終的にはドレンパン２５と断熱材２２との間に介在される。したがって連結固定具４０に対するさらなる強固な取付けを得られるとともに、熱交換空気（冷気）に接触せず、露付きの虞れがない。
【００３５】
なお、上記実施の形態では配管３９とともに配線類３８を取出す取出し部３５を構成したが、これに限定されるものではなく、少なくとも配管を取出す取出し部であればよい。
【００３６】
すなわち、組立て作業では熱交換器２４に配管３９を接続した状態で室内機本体２０内に組み込むようになっていて、剛体相互の組合せであるから取出し部３５の位置を予め設定しておく必要がある。これに対して配線類３８およびホース類は柔軟材から構成されるので所望の位置に適宜延出できることによる。
なお、本発明は上述の実施の形態に限定されるものではなく、本発明の要旨を逸脱しない範囲で種々変形実施可能であるのは勿論である。
【００３７】
【発明の効果】
以上説明したように本発明によれば、室内機本体に少なくとも配管の取出し部を設けるにあたって、室内機本体の基本的な構成を変更することなく、強度的に充分な補強をなして変形を阻止することができる効果を奏する。
【図面の簡単な説明】
【図１】本発明の一実施の形態に係る天井埋込み型の空気調和機の室内機を下面側から示す斜視図。
【図２】同実施の形態の、室内機本体を分解して示す斜視図。
【図３】同実施の形態の、組立てられた室内機本体の斜視図であり、実際の取付け状態とは上下を逆にして示している。
【図４】同実施の形態の、配管・配線類の取出し部を拡大した斜視図であり、ここではハウジングを省略している。
【図５】同実施の形態の、配管・配線類の取出し部を拡大した斜視図であり、ここではハウジングと連結固定具を断面にしている。
【図６】同実施の形態の、配管・配線類の取出し部を拡大した斜視図。
【図７】従来の、配管・配線類の取出し部における変形状態を説明する図。
【符号の説明】
２１ｃ…側板部、
２１ｃ…天板部、
２１…ハウジング（金属板筐体）、
２２…断熱材、
２０…室内機本体、
２５…ドレンパン、
２４…熱交換器、
２３…送風機、
３９…配管、
３８…配線類、
３５…取出し部、
４０…補強固定金具（補強固定具）、
４１…掛合溝。
【図１】
2004085000.tif 000003
【図２】
2004085000.tif 000004
【図３】
2004085000.tif 000005
【図４】
2004085000.tif 000006
【図５】
2004085000.tif 000007
【図６】
2004085000.tif 000008
【図７】
2004085000.tif 000009